(57)【特許請求の範囲】
【請求項１】
本物確認用ラベルであって、
複数個の半円周形の凸レンズが平行に配列されたレンチキュラーレンズ、または複数個の半円形の凸レンズが連続配列されたマイクロレンズを含んで構成される立体レンズ層と、
前記立体レンズ層の下部に具備される焦点距離層と、
前記焦点距離層の下部に具備されるイメージ形成層を含む識別表示形成部と、
前記識別表示形成部が当該物品と結合するようにする結合部材とを含み、
前記イメージ形成層は、
５０〜２００ナノメートルの間隔及び高さで突き出して構成される複数個のナノ構造物が周期的で規則的に配列された集合体を含み、
前記ナノ構造物と前記焦点距離層との間は、前記ナノ構造物及び前記焦点距離層と屈折率が異なる媒質で構成され、
前記識別表示形成部のイメージ形成層は、
予め定められた視野角度（ｖｉｅｗｉｎｇ  ａｎｇｌｅｓ）及び予め定められた視野焦点距離のみでイメージが現われるようにナノ構造物を形成するヒドンイメージ形成部と、
前記ヒドンイメージ形成部の予め定められた角度及び予め定められた視野焦点距離以外の角度及び焦点距離でイメージが現われるようにナノ構造物を形成する一般イメージ形成部を含むことを特徴とする、
複数のナノ構造物及び立体レンズを利用した本物確認用ラベル。
【請求項２】
前記識別表示形成部において、
前記複数個のナノ構造物の高さは、前記ナノ構造物間のピッチ距離より小さく構成し、
前記ナノ構造物のピッチ距離、高さ及び形状は、前記ナノ構造物に自然光を照射する時に反射する波長が表現しようとする色相に対応するように形成することを特徴とする、請求項１に記載の複数のナノ構造物及び立体レンズを利用した本物確認用ラベル。
【請求項３】
前記ヒドンイメージ形成部は、
当該物品を識別する文字、記号及び文様を含む群から選択された少なくとも一つ以上が、前記予め定められた視野角度及び予め定められた視野焦点距離で現われるように形成されたナノ構造物を含むことを特徴とする、請求項１に記載の複数のナノ構造物及び立体レンズを利用した本物確認用ラベル。
【請求項４】
前記ナノ構造物は、ポリエチレンテレフタレート（ＰＥＴ、Ｐｏｌｙｅｔｈｙｌｅｎｅ  ｔｅｒｅｐｈｔｈａｌａｔｅ）、ポリカーボネート（ＰＣ、Ｐｏｌｙｃａｒｂｏｎａｔｅ）、紫外線樹脂（ＵＶ  Ｒｅｓｉｎ）、エポキシ樹脂（Ｅｐｏｘｙ  Ｒｅｓｉｎ）、及びアクリル樹脂（Ａｃｒｙｌ  Ｒｅｓｉｎ）を含む群から選択された少なくとも一つ以上で構成され、
前記ナノ構造物と前記焦点距離層との間は、空気または真空で構成されることを特徴とする、請求項１に記載の複数のナノ構造物及び立体レンズを利用した本物確認用ラベル。
【請求項５】
前記識別表示形成部は、
前記立体レンズ層の上部表面が平たくなるようにコーティングした平面コーティング層をさらに含むことを特徴とする、請求項１に記載の複数のナノ構造物及び立体レンズを利用した本物確認用ラベル。
【請求項６】
前記識別表示形成部は、
前記イメージ形成層の下部に具備される光遮蔽層をさらに含むことを特徴とする、請求項１に記載の複数のナノ構造物及び立体レンズを利用した本物確認用ラベル。
【請求項７】
前記識別表示形成部の前記立体レンズ層は、
複数個の半円周形の凸レンズが平行に配列された第１のレンチキュラーレンズ、及び前記第１のレンチキュラーレンズと曲面が互いに向かい合う形態で具備される第２のレンチキュラーレンズを含んで構成され、
前記第１のレンチキュラーレンズと第２のレンチキュラーレンズに配列された半円周形の凸レンズの母線は、交互に形成されることを特徴とする、請求項１に記載の複数のナノ構造物及び立体レンズを利用した本物確認用ラベル。
【請求項８】
前記結合部材は、接着剤または連結環を含んで構成され、
前記本物確認用ラベルは、時計、帽子、かばん、衣服、酒ビン、及び電子製品を含む群から選択された少なくとも一つ以上の物品と結合して当該物品が本物であるか否かを確認することに使用されることを特徴とする、請求項１に記載の複数のナノ構造物及び立体レンズを利用した本物確認用ラベル。
【請求項９】
前記結合部材は、接着層を含んで構成され、
前記識別表示形成部は、上部に形成される離型フィルムを含んで構成され、
前記本物確認用ラベルは、当該物品の表面に転写して結合されることを特徴とする、請求項１に記載の複数のナノ構造物及び立体レンズを利用した本物確認用ラベル。
【発明の詳細な説明】
【技術分野】
【０００１】
本発明は、本物確認用ラベルに関して、さらに具体的には、複数のナノ構造物及び立体レンズを利用した本物確認用ラベルに関する。
【背景技術】
【０００２】
ラベルは、紙などに商品名や商標など、品物に対する情報を書いて貼ったものを意味し、物品の出処表示または商品の内容、品質、成分などを表示する目的で多く使用される。また、ラベルは、物品の特定出処を表示して本物であるか否かを確認できるようにする機能も行うことができる。最近、高価のブランド品の違法コピー商品が頻繁に流通されており、このような行為を制止するために多様な本物判別方法が開発されている。本物判別のための方法の一つとして、金箔型押しまたはレーザー彫刻などを通じて他人が容易に偽造して製作できないラベルを付着したりもする。しかし、印刷技術や金箔技術の発達により当該ラベルさえ難なくコピーできるようになり、その目的を充分に達成することができない状況である。
【０００３】
そこで、熱によって色相変化を起こす印刷処理を通じたラベル（特許文献１参照）など新しい方式のラベル製造技術が開発されている。また、特定イメージが一般状態では表現されず、特定状態の変化が起これば現われるヒドンイメージを利用してラベルを構成することで、特定角度からラベルを見る場合のみに当該商標などが表示されるようにする技術も開発された。ヒドンイメージを表現する方法としては、彩度及び明度によって特定情報を識別し難い形態で透明または半透明な基板に印刷した後、該基板をモニターの光に照らすことで（特定状態の変化）、隠された情報が識別できるようにする方法（特許文献２参照）がある。即ち、従来のヒドンイメージの表現は、染料や顔料で塗られた地とイメージの明度や彩度などを異ならせるか、地やイメージを微細かつ複雑な文様や記号で構成することで、視覚的錯覚を誘発させる方法などを利用した。
【０００４】
このように、従来の染料や顔料を利用した印刷で製作されたラベルは、単純に二次元的イメージの程度表現に済むもので、染料や顔料の紫外線などによる変色の問題もある。そこで、本発明者らは、染料や顔料を使用せずイメージを表現する方法を開発し、これを立体レンズと結合して新しい形態の本物確認用ラベルを開発した。
【先行技術文献】
【特許文献】
【０００５】
【特許文献１】特許出願番号第１０−２００５−００３２３９０号
【特許文献２】米国特許第５，９８４，３６７号
【発明の概要】
【発明が解決しようとする課題】
【０００６】
本発明は、既存に提案された方法の上記のような問題点を解決するために提案されたもので、立体レンズ層、焦点距離層及びイメージ形成層を含む識別表示形成部と結合部材で構成し、識別表示形成部のイメージ形成層は、５０〜２００ナノメートルの間隔及び高さで突き出して構成される複数個のナノ構造物が周期的で規則的に配列された集合体を含み、ナノ構造物と焦点距離層との間は、ナノ構造物及び焦点距離層と屈折率が異なる媒質で構成することで、染料や顔料を使用せず構造的設計だけで所望の色及び形状のイメージを具現することができ、１０ミクロン以下のナノ単位まで色及び形状の表現が重畳することなく一つの板状で表現されることができ、色の表現においても、単一色と総天然色の表現が構造設計によって全て可能であり、精巧なラベルの生産が可能であるので、ラベルコピー品の製造問題を解決することができる、複数のナノ構造物及び立体レンズを利用した本物確認用ラベルを提供することをその目的とする。
【０００７】
また、本発明は、予め定められた視野角度（ｖｉｅｗｉｎｇ  ａｎｇｌｅｓ）及び予め定められた視野焦点距離のみでイメージが現われるようにナノ構造物を形成するヒドンイメージ形成部と、ヒドンイメージ形成部の予め定められた角度及び予め定められた視野焦点距離以外の角度及び焦点距離でイメージが現われるようにナノ構造物を形成する一般イメージ形成部とを含むように構成し、ヒドンイメージ形成部には、当該物品を識別する文字、記号及び文様を含む群から選択された少なくとも一つ以上を表現するように構成することで、特定視覚のみで識別標識が現われるようになり、一般視覚では多様なイメージを有する飾り物としても利用可能な、複数のナノ構造物及び立体レンズを利用した本物確認用ラベルを提供することをまた他の目的とする。
【課題を解決するための手段】
【０００８】
上記の目的を達成するための本発明の特徴による複数のナノ構造物及び立体レンズを利用した本物確認用ラベルは、
複数個の半円周形の凸レンズが平行に配列されたレンチキュラーレンズ、または複数個の半円形の凸レンズが連続配列されたマイクロレンズを含んで構成される立体レンズ層と、
前記立体レンズ層の下部に具備される焦点距離層と、
前記焦点距離層の下部に具備されるイメージ形成層を含む識別表示形成部と、
前記識別表示形成部が当該物品と結合するようにする結合部材とを含み、
前記イメージ形成層は、
５０〜２００ナノメートルの間隔及び高さで突き出して構成される複数個のナノ構造物が周期的で規則的に配列された集合体を含み、
前記ナノ構造物と前記焦点距離層との間は、前記ナノ構造物及び前記焦点距離層と屈折率が異なる媒質で構成されることをその構成上の特徴とする。
【０００９】
好ましくは、前記識別表示形成部において、
前記複数個のナノ構造物の高さは、前記ナノ構造物間のピッチ距離より小さく構成し、
前記ナノ構造物のピッチ距離、高さ及び形状は、前記ナノ構造物に自然光を照射する時に反射する波長が表現しようとする色相に対応するように形成することができる。
【００１０】
好ましくは、前記識別表示形成部のイメージ形成層は、
予め定められた視野角度（ｖｉｅｗｉｎｇ  ａｎｇｌｅｓ）及び予め定められた視野焦点距離のみでイメージが現われるようにナノ構造物を形成するヒドンイメージ形成部と、
前記ヒドンイメージ形成部の予め定められた角度及び予め定められた視野焦点距離以外の角度及び焦点距離でイメージが現われるようにナノ構造物を形成する一般イメージ形成部とを含むことができる。
【００１１】
さらに好ましくは、前記ヒドンイメージ形成部は、
当該物品を識別する文字、記号及び文様を含む群から選択された少なくとも一つ以上が、前記予め定められた視野角度及び予め定められた視野焦点距離で現われるように形成されたナノ構造物を含むことができる。
【００１２】
好ましくは、
前記ナノ構造物は、ポリエチレンテレフタレート（ＰＥＴ、Ｐｏｌｙｅｔｈｙｌｅｎｅ  ｔｅｒｅｐｈｔｈａｌａｔｅ）、ポリカーボネート（ＰＣ、Ｐｏｌｙｃａｒｂｏｎａｔｅ）、紫外線樹脂（ＵＶ  Ｒｅｓｉｎ）、エポキシ樹脂（Ｅｐｏｘｙ  Ｒｅｓｉｎ）、及びアクリル樹脂（Ａｃｒｙｌ  Ｒｅｓｉｎ）を含む群から選択された少なくとも一つ以上で構成され、
前記ナノ構造物と前記焦点距離層との間は、空気または真空で構成されることができる。
【００１３】
好ましくは、前記識別表示形成部は、
前記立体レンズ層の上部表面が平たくなるようにコーティングした平面コーティング層をさらに含むことができる。
【００１４】
好ましくは、前記識別表示形成部は、
前記イメージ形成層の下部に具備される光遮蔽層をさらに含むことができる。
【００１５】
好ましくは、前記識別表示形成部の前記立体レンズ層は、
複数個の半円周形の凸レンズが平行に配列された第１のレンチキュラーレンズ、及び前記第１のレンチキュラーレンズと曲面が互いに向かい合う形態で具備される第２のレンチキュラーレンズを含んで構成され、
前記第１のレンチキュラーレンズと第２のレンチキュラーレンズに配列された半円周形の凸レンズの母線は、交互に形成されることができる。
【００１６】
好ましくは、
前記結合部材は、接着剤または連結環を含んで構成され、
前記本物確認用ラベルは、時計、帽子、かばん、衣服、酒ビン、及び電子製品を含む群から選択された少なくとも一つ以上の物品と結合して当該物品が本物であるか否かを確認することに使用されることができる。
【００１７】
好ましくは、
前記結合部材は、接着層を含んで構成され、
前記識別表示形成部は、上部に形成される離型フィルムを含んで構成され、
前記本物確認用ラベルは、当該物品の表面に転写して結合されることができる。
【発明の効果】
【００１８】
本発明で提案している複数のナノ構造物を含み、ヒドンイメージを表現する立体レンズシートによると、立体レンズ層、焦点距離層及びイメージ形成層を含む識別表示形成部と結合部材で構成し、識別表示形成部のイメージ形成層は、５０〜２００ナノメートルの間隔及び高さで突き出して構成される複数個のナノ構造物が周期的で規則的に配列された集合体を含み、ナノ構造物と焦点距離層との間は、ナノ構造物及び焦点距離層と屈折率が異なる媒質で構成することで、染料や顔料を使用せず構造的設計だけで所望の色及び形状のイメージを具現することができ、１０ミクロン以下のナノ単位まで色及び形状の表現が重畳することなく一つの板状で表現されることができ、色表現においても単一色と総天然色の表現が構造設計によって全て可能であり、精巧なラベルの生産が可能であるので、ラベルコピー品の製造問題を解決することができる。
【００１９】
また、本発明によると、予め定められた視野角度（ｖｉｅｗｉｎｇ  ａｎｇｌｅｓ）及び予め定められた視野焦点距離のみでイメージが現われるようにナノ構造物を形成するヒドンイメージ形成部と、ヒドンイメージ形成部の予め定められた角度及び予め定められた視野焦点距離以外の角度及び焦点距離でイメージが現われるようにナノ構造物を形成する一般イメージ形成部とを含むように構成し、ヒドンイメージ形成部には、当該物品を識別する文字、記号及び文様を含む群から選択された少なくとも一つ以上を表現するように構成することで、特定視覚のみで識別標識が現われるようになり、一般視覚では多様なイメージを持つ飾り物としても利用可能である。
【図面の簡単な説明】
【００２０】
【図１】本発明の一実施例に係る複数のナノ構造物及び立体レンズを利用した本物確認用ラベルの構成を示す図面である。
【図２】本発明の一実施例に係る複数のナノ構造物及び立体レンズを利用した本物確認用ラベルでイメージ形成層を示す図面である。
【図３】本発明の他の実施例に係る複数のナノ構造物及び立体レンズを利用した本物確認用ラベルでイメージ形成層の具体的構成を示す図面である。
【図４】本発明のまた他の実施例に係る複数のナノ構造物及び立体レンズを利用した本物確認用ラベルの構成を示す図面である。
【図５】本発明のまた他の実施例に係る複数のナノ構造物及び立体レンズを利用した本物確認用ラベルの構成を示す図面である。
【図６】本発明の一実施例に係る複数のナノ構造物及び立体レンズを利用した本物確認用ラベルが物品に付着して使用される使用例を示す図面である。
【図７】本発明の一実施例に係る複数のナノ構造物及び立体レンズを利用した本物確認用ラベルが物品に付着して使用される使用例を示す図面である。
【図８】本発明の一実施例に係る複数のナノ構造物及び立体レンズを利用した本物確認用ラベルが物品に付着して使用される使用例を示す図面である。
【発明を実施するための形態】
【００２１】
以下では、添付の図面を参照して本発明が属する技術分野で通常の知識を持った者が本発明を容易に実施することができるように好ましい実施例を詳しく説明する。但し、本発明の好ましい実施例を詳しく説明するにあたって、関連の公知機能または構成に対する具体的な説明が本発明の要旨を不要に曖昧にし得ると判断される場合は、その詳しい説明を省略する。また、類似した機能及び作用をする部分に対しては、図面全体にわたって同一または類似した符号を使用する。
【００２２】
さらに、明細書全体において、ある部分が他の部分と「連結」されているとすると、これは、「直接的に連結」されている場合だけでなく、その中間に他の素子を挟んで「間接的に連結」されている場合も含む。また、ある構成要素を「含む」ということは、特に反対の記載がない限り、他の構成要素を除外するのではなく、他の構成要素をさらに含むことができるということを意味する。
【００２３】
図１は、本発明の一実施例に係る複数のナノ構造物及び立体レンズを利用した本物確認用ラベルの構成を示す図面である。図１に示すように、本発明の一実施例に係る複数のナノ構造物及び立体レンズを利用した本物確認用ラベルは、立体レンズ層１１０、焦点距離層１２０及びイメージ形成層１３０を含む識別標識形成部１００、及び識別標識形成部１００が当該物品と結合するようにする結合部材２００を含んで構成されることができる。
【００２４】
識別標識形成部１００は、本物確認用ラベルが付着する物品の識別標識を形成する役割をするもので、本発明では、立体レンズと複数のナノ構造物を利用して立体イメージを具現することができる。本発明で提案する識別標識形成部１００の構造によると、１０ミクロン以下のナノ単位まで色及び形状の表現が重畳することなく一つの板状で表現されることができ、色表現においても単一色と総天然色の表現が構造設計によって全て可能であり、精巧なラベルの生産が可能となる。従って、本発明で提案しているラベルは、コピーが技術的、経済的に難しいので、本物確認機能を充実に行うことができる。
【００２５】
立体レンズは、レンチキュラー（Ｌｅｎｔｉｃｕｌａｒ）またはマイクロレンズを利用して両眼視差による錯視効果原理を活用して平面的な２Ｄイメージを３次元的な映像物に再構成するものである。従来の立体レンズを通じた立体イメージの表現方法は、染料や顔料で表現されたイメージ上にレンチキュラーレンズまたはマイクロレンズを結合して、当該イメージの立体感及び各種の変換効果を利用した。即ち、立体感を感じる最も重要な要因は、人の目が横方向に約６５ｍｍ離れて存在するため現われる両眼視差（Ｂｉｎｏｃｕｌａｒ  Ｄｉｓｐａｒｉｔｙ）を利用するもので、立体レンズを利用すれば、一部イメージの遮断効果及び選択的光の前進効果を利用して２次元平面イメージで３次元立体イメージの効果を得ることができる。立体レンズでイメージは、レンズ層の下部に位置して染料や顔料で形成された印刷層を通じて表現されるが、このように染料や顔料を利用してイメージを表現する方法は、染料や顔料の紫外線などによる変色の問題がある。また、印刷面上に立体レンズを具備して立体形状を得るためには、網点が互いに重なり所望のイメージを求め難いという問題がある。
【００２６】
一方、蝶や鳥の羽毛は、色素を持たずに独特の色相を現わすが、これは、特定構造によって光が回折、干渉、散乱することで現われるものである。即ち、微細なしわや規則的に配列された構造物に光が照射される時に、特定波長の光のみを反射することで当該波長の色が表現される。本発明者は、このような構造色の概念に着目して、染料や顔料を使用せず、構造設計を通じて精密で変形されない立体色相イメージを表現する方法を開発し、これを本物確認用ラベルに適用しようとする。以下では、識別標識形成部の具体的構成について詳しく説明する。
【００２７】
立体レンズ層１１０は、複数個の半円周形の凸レンズが平行に配列されたレンチキュラーレンズ１１１、または複数個の半円形の凸レンズが連続配列されたマイクロレンズ１１２を含んで構成される。凸レンズは、予め定められた屈折率を持って形成され、断面は非球面で形成する。本発明の一実施例によると、一般の立体レンズ層と異なって、断面を、極端的に高い画角を持つ非球面で構成することができる。このような構成を採択することで、レンズ表面に低い屈折率を持つ平面コーティング層１４０をコーティングする場合、２重屈折率を持つようになり画角が細くなる現象が発生する問題を解決することができる。また、非球面で構成することで、焦点距離の調節も可能である。レンズのパワーが大きくなれば焦点距離が短くなり、パワーが小さければ焦点距離が長くなるので、レンズを薄くするためにはパワーを大きくする。焦点距離層１２０は、立体レンズ層１１０の下部に具備され、曲率半径に対応する焦点距離が合わせられる。即ち、立体レンズ層１１０の曲率、厚さ、イメージの大きさ及び表現される立体色相イメージの大きさ及び位置などによって適切な厚さの焦点距離層１２０を形成することができる。
【００２８】
イメージ形成層１３０は、焦点距離層１２０の下部に具備され、５０〜２００ナノメートルの間隔及び高さで突き出して構成される複数個のナノ構造物１３１が周期的で規則的に配列された集合体を含み、ナノ構造物１３１と焦点距離層１２０との間は、ナノ構造物１３１及び焦点距離層１２０と屈折率が異なる媒質１３２で構成されることができる。
【００２９】
好ましくは、複数個のナノ構造物１３１の高さは、ナノ構造物１３１間のピッチ距離より小さく構成される。さらに好ましくは、ナノ構造物１３１の高さは５０〜１００ｎｍであり、ナノ構造物１３１間のピッチ距離は１５０〜２００ｎｍにする。
【００３０】
また、ナノ構造物１３１のピッチ距離、高さ及び形状は、ナノ構造物１３１に自然光を照射する時に反射する波長が表現しようとする色相に対応するように形成することができる。即ち、ナノ構造物１３１は、予め定められたピッチ距離を置いて具備され、予め定められた高さで形成されることができ、このような間隔及び高さは、光反射波長による柄または色彩表示基準によって決定することができる。
【００３１】
図２は、本発明の一実施例に係る複数のナノ構造物及び立体レンズを利用した本物確認用ラベルでイメージ形成層を示す図面である。図２に示すように、光がナノ構造物１３１によって屈折または反射し、反射する光によって特定形状で認識されることができる。また、複数個のナノ構造物１３１の一部または全部は、複数のナノ構造物１３１が積層されて構成され、積層構造は、それぞれ屈折率が異なる材質で形成され、図２に示すように、左右に予め定められた幅ほど交互に積層されてもよい。図２のナノ構造物１３１の形状は、一実施例であるだけで、これに限定するものではなく、多様なナノ単位大きさの構造物が形成されて光反射波長によるイメージ表現が可能である。
【００３２】
本発明の一実施例に係る複数のナノ構造物及び立体レンズを利用した本物確認用ラベルにおいて、ナノ構造物１３１は、ポリエチレンテレフタレート（ＰＥＴ、Ｐｏｌｙｅｔｈｙｌｅｎｅ  ｔｅｒｅｐｈｔｈａｌａｔｅ）、ポリカーボネート（ＰＣ、Ｐｏｌｙｃａｒｂｏｎａｔｅ）、紫外線樹脂（ＵＶ  Ｒｅｓｉｎ）、エポキシ樹脂（Ｅｐｏｘｙ  Ｒｅｓｉｎ）、及びアクリル樹脂（Ａｃｒｙｌ  Ｒｅｓｉｎ）を含む群から選択された少なくとも一つ以上で構成されることができる。また、ナノ構造物１３１と焦点距離層１２０との間は、空気または真空で構成される。空気または真空で構成する時は、立体レンズシートの外角面を形成する外部コーティング部（図示せず）が具備されなければならない。
【００３３】
本発明では、ナノ構造物１３１の構造設計を通じてイメージを表現する方式を採択しているが、イメージ形成層１３０の上部には、立体レンズ層１１０及び焦点距離層１２０などが結合して構成されるので、ナノ構造物１３１がラベルの内部に形成され、別途の保護層がなくても外部環境からその形状が保持されることができる。即ち、本発明は、ナノ構造物１３１の上部に立体レンズ層１１０などが具備される構造を採択することで、非常に安定しかつ効果的に精巧なイメージを立体化して表現することができる。
【００３４】
図３は、本発明の他の実施例に係る複数のナノ構造物及び立体レンズを利用した本物確認用ラベルにおいて、イメージ形成層の具体的構成を示す図面である。図３に示すように、本発明の他の実施例によると、イメージ形成層１３０の構造をヒドンイメージ形成部１３３及び一般イメージ形成部１３４に分離して構成することで、特定視野角度及び視野焦点距離のみで識別標識が現われるようになり、一般視覚では、多様なイメージを持つ飾り物としても利用可能となる。具体的に、イメージ形成層１３０は、予め定められた視野角度（ｖｉｅｗｉｎｇ  ａｎｇｌｅｓ）及び予め定められた視野焦点距離のみでイメージが現われるようにナノ構造物を形成するヒドンイメージ形成部１３３、及びヒドンイメージ形成部１３３の予め定められた角度及び予め定められた視野焦点距離以外の角度及び焦点距離でイメージが現われるようにナノ構造物１３１を形成する一般イメージ形成部１３４を含んで構成することができる。
【００３５】
好ましくは、ヒドンイメージ形成部１３３は、当該物品を識別する文字、記号及び文様を含む群から選択された少なくとも一つ以上が、予め定められた視野角度及び予め定められた視野焦点距離で現われるように形成されたナノ構造物１３１を含む。即ち、図３に示すように、一般的な視覚では審美感が感じられる多様なイメージが表現され、非常に近い距離を置いてラベルを観察する場合のみに識別標識（ヒドンイメージ）が現われるように構成することで、本物確認機能及び審美的機能を同時に有することができる。
【００３６】
図４は、本発明のまた他の実施例に係る複数のナノ構造物及び立体レンズを利用した本物確認用ラベルの構成を示す図面である。図４に示すように、本発明のまた他の実施例に係る本物確認用ラベルにおいて、識別表示形成部１００は、立体レンズ層１１０の上部表面が平たくなるようにコーティングした平面コーティング層１４０をさらに含んで構成される。立体レンズ層１１０は、上記で説明したように、両眼視差を利用して２次元イメージ効果を得るための構成として、レンチキュラーレンズ１１１またはマイクロレンズ１１２の表面に屈曲が生じるようになる。従って、レンズ表面が汚染し易く、凸の部分のみに摩擦が頻繁に起こり、レンズの部位によって摩耗される程度が変わり、本来の曲率と異なる曲率を構成するようになって立体レンズの役割を果たせなくなることも発生する。本発明のまた他の実施例によると、立体レンズ層１１０で曲面を形成する上端面に平面コーティング層１４０をさらに具備することで、上記のような問題を解決することができる。平面コーティング層１４０は、立体レンズ層１１０が持つ屈折率と異なる値の屈折率を持つ透明樹脂で構成し、立体レンズ層１１０の屈曲による屈折現象を維持しつつも表面は平たく形成されるようにすることが好ましい。
【００３７】
また、本発明のまた他の実施例に係る本物確認用ラベルにおいて、識別表示形成部１００は、イメージ形成層１３０の下部に具備される光遮蔽層１５０をさらに含んで構成してもよい。上記の図２と関連して説明したように、本発明は、光がナノ構造物１３１から反射しながら現われる色を通じてイメージを形成するので、下部に光遮蔽層１５０をさらに含むように構成することで、効率的に光の反射効果を利用することができる。
【００３８】
図５は、本発明のまた他の実施例に係る複数のナノ構造物及び立体レンズを利用した本物確認用ラベルの構成を示す図面である。図５に示すように、識別表示形成部１００の立体レンズ層１１０は、複数個の半円周形の凸レンズが平行に配列された第１のレンチキュラーレンズ１１１ａ、及び第１のレンチキュラーレンズ１１１ａと曲面が互いに向かい合う形態で具備される第２のレンチキュラーレンズ１１１ｂとを含んで構成され、第１のレンチキュラーレンズ１１１ａと第２のレンチキュラーレンズ１１１ｂに配列された半円周形の凸レンズの母線は、交互に形成されてもよい。
【００３９】
一般的な半円周形レンチキュラーレンズ１１１は、垂直パターンの両眼視差方式で表出される立体感を有するが、放射形のマイクロレンズ１１２は、四方パターンの両眼視差を確保することができる。本発明のまた他の実施例では、曲面が互いに向かい合う形態で具備される２個のレンチキュラーレンズ１１１ａ、１１１ｂの母線を交互に構成することで、多様な方向で立体感を有することができる。即ち、別途の平面コーティング層１４０を具備せずとも、レンズ上部の表面が平たく形成されることができ、マイクロレンズ１１２の効果も得られる。母線間の角度は、好ましくは４５度、６０度または９０度で交互に構成することができるが、これに限定するものではなく、実施例によって変形可能である。
【００４０】
結合部材２００は、識別表示形成部１００が当該物品と結合するようにする役割をすることができる。実施例によっては、結合部材は、接着剤２１０または連結環２２０を含んで構成されることができ、本物確認用ラベルは、時計、帽子、かばん、衣服、酒ビン、及び電子製品を含む群から選択された少なくとも一つ以上の物品と結合して当該物品が本物であるか否かを確認することに使用されることができる。
【００４１】
図６〜図８は、本発明の一実施例に係る複数のナノ構造物及び立体レンズを利用した本物確認用ラベルが物品に付着して使用される使用例を示す図面である。図６に示すように、本発明で提案している本物確認用ラベルは、時計１０の内部底面接着剤２１０などで付着して一定の柄を現わす機能を行うことができ、近くで覗く場合に当該物品の識別標識が現われるように構成することができる。また、図７に示すように、帽子２０の一側に返し縫い形式で付着してもよく、図８に示すように、かばん３０に連結環２２０で結合して一種の飾り物の役割もすることができる。
【００４２】
一方、本発明の他の実施例によると、結合部材２００は、接着層を含んで構成され、識別表示形成部１００は、上部に形成される離型フィルムを含んで構成され、本物確認用ラベルは、当該物品の表面に転写して結合されることができる。
【００４３】
接着層は、識別表示形成部１００のイメージ形成層１３０または光遮蔽層１５０の下部に形成され、当該物品に本物確認用ラベルを固定付着させる役割をすることができる。実施例によっては、公知されている各種の感熱性または減圧性樹脂を使用して形成することができ、具体的には、ポリアクリル系樹脂、ポリスチレン系樹脂、ポリアミド系、塩素化ポリオレフィン系樹脂、塩素化エチレン−酢酸ビニル共重合体樹脂またはゴム系樹脂などを使用して形成することができる。
【００４４】
離型フィルムは、当該物品への接着後に剥離されるもので、識別表示形成部１００の最上端に形成される。実施例によって、ポリプロピレン系樹脂、ポリエチレン系樹脂、ポリアミド系樹脂、ポリエステル系樹脂、ポリアクリル系樹脂またはポリ塩化ビニル系樹脂を主材とする樹脂フィルムと、アルミ箔または銅泊などの金属箔、グリシン紙、コート紙またはセロハンなどのセルロース系シート、または上記のうち２種以上の複合シートなどを基材とし、前記基材の一面に離型処理を行って離型層を形成することで、離型フィルムを構成することができる。この場合、離型層を形成する離型処理方式は特に制限されず、例えば、エポキシ系、エポキシ−メラミン系、アミノアルキド系、アクリル系、メラミン系、シリコーン系、フッ素系、セルロース系、尿素樹脂系、ポリオレフィン系、パラフィン系または上記のうち２種以上の複合離型剤を使用した各種印刷法またはコート法などを使用して形成されることができる。
【００４５】
本発明で提案している本物確認用ラベルは、このように接着層及び離型フィルムをさらに含んで転写材を構成することができ、これを所望の物品の表面に転写させる方式で利用することができる。
【００４６】
本発明の一実施例に係る本物確認用ラベルの物品への転写方法としては、接着層が物品表面に接するように配置させ、温度約８０度〜２６０度、圧力５０ｋｇ／ｍ２〜２００ｋｇ／ｍ２の条件で、耐熱ゴム状弾性体などの転写機で離型フィルム側に熱と圧力をかけた後、冷却工程後に離型フィルムを剥離すれば、識別表示形成部１００の上端と離型フィルムの境界面で剥離が起こり、本物確認用ラベルは、成型品の表面に転写されることができる。これは、一実施例に限るもので、その他に金型射出方式などの多様な方法で本物確認用ラベルが物品に転写されることができる。
【００４７】
以上で説明した本発明は、本発明が属した技術分野で通常の知識を持った者によって多様な変形や応用が可能であり、本発明による技術的思想の範囲は、以下の特許請求の範囲によって定められるべきである。
【符号の説明】
【００４８】
１０：時計
２０：帽子
３０：かばん
１００：識別表示形成部
１１０：立体レンズ層
１１１：レンチキュラーレンズ
１１１ａ：第１のレンチキュラーレンズ
１１１ｂ：第２のレンチキュラーレンズ
１１２：マイクロレンズ
１２０：焦点距離層
１３０：イメージ形成層
１３１：ナノ構造物
１３２：ナノ構造物及び焦点距離層と屈折率が異なる媒質
１３３：ヒドンイメージ形成部
１３４：一般イメージ形成部
１４０：平面コーティング層
１５０：光遮蔽層
２００：結合部材
２１０：接着剤
２２０：連結環
【図１】
0006500023.tif 000002
【図２】
0006500023.tif 000003
【図３】
0006500023.tif 000004
【図４】
0006500023.tif 000005
【図５】
0006500023.tif 000006
【図６】
0006500023.tif 000007
【図７】
0006500023.tif 000008
【図８】
0006500023.tif 000009